(57)【要約】      （修正有）【課題】摺動量を大幅に増加させたプロペラシャフトを提供する。【解決手段】プロペラシャフト１は、第１軸部材２の回転軸線Ｐの方向における両端部である第１端部２ａと第２端部２ｂを有する第１軸部材と、第１内輪部材と第１外輪部材３４を有した第１等速ジョイント３と、第２内輪部材と、第２外輪部材４４と、を有した第２等速ジョイント４と、を備え、回転軸線の方向において、第１軸部材が第２端部から第１端部に向かって移動するときに、第１外輪部材の底部３４ｂが第１軸部材の第１端部に向かって移動可能な距離よりも第２ボール４２が第２レース溝４４ａの縁部４４ａ１に向かって移動可能な距離の方が長く、かつ、第１軸部材が第1端部から第２端部に向かって移動するときに、第２端部が第２外輪部材の底部に向かって移動可能な距離よりも第１ボール３２が第１レース溝３４ａの縁部３４ａ１に向かって移動可能な距離の方が長いことを特徴とする。【選択図】図１
2020139600.tif 000002
【特許請求の範囲】
【請求項１】
自動車に用いられるプロペラシャフトにおいて、
第１軸部材であって、前記第１軸部材の回転軸線の方向における両端部である第１端部と第２端部を有する前記第１軸部材と、
第１等速ジョイントであって、第１雌スプラインが設けられた第１内輪部材と、前記回転軸線に対する径方向において、前記第１内輪部材の外周に配置された第１ボールと、前記第１ボールを前記第１内輪部材に保持する第１ケージと、前記径方向において、前記第１ボールの外周に配置され、前記第１ボールが前記回転軸線の方向に移動可能な第１レース溝が設けられ、前記第１軸部材の前記第１端部とつながった第１外輪部材と、を有した前記第１等速ジョイントと、
第２等速ジョイントであって、前記第１軸部材の前記第２端部がスプライン結合された第２雌スプラインが設けられた第２内輪部材と、前記回転軸線に対する径方向において、前記第２内輪部材の外周に配置された第２ボールと、前記第２ボールを前記第２内輪部材に保持する第２ケージと、前記径方向において、前記第２ボールの外周に配置され、前記第２ボールが前記回転軸線の方向に移動可能な第２レース溝が設けられた第２外輪部材と、を有した前記第２等速ジョイントと、
第２軸部材であって、前記自動車に固定されるセンタリングベアリングサポートにて支持され、前記第１雌スプラインとスプライン結合された一端部と、を有する前記第２軸部材と、
を備え、
前記回転軸線の方向において、前記第１軸部材が前記第２端部から前記第１端部に向かって移動するときに、前記第１外輪部材の底部が前記第１軸部材の第１端部に向かって移動可能な距離よりも前記第２ボールが前記第２レース溝の縁部に向かって移動可能な距離の方が長く、かつ、前記第１軸部材が前記第1端部から前記第２端部に向かって移動するときに、前記第２端部が前記第２外輪部材の底部に向かって移動可能な距離よりも前記第1ボールが前記第1レース溝の縁部に向かって移動可能な距離の方が長い、
ことを特徴とするプロペラシャフト。
【請求項２】
請求項1のプロペラシャフトにおいて、
前記第２端部から前記第1端部に向かう前記第１軸部材の回転軸線の方向において、前記第２軸部材の一端部の端面は、前記第１ケージの一端部の端面よりも突出、または、
前記第1端部から前記第２端部に向かう前記第１軸部材の回転軸線の方向において、前記第１軸部材の第２端部の端面は、前記第２ケージの一端部の端面よりも突出している、
ことを特徴とするプロペラシャフト。
【請求項３】
請求項１のプロペラシャフトにおいて、
前記第１外輪部材の底部は、前記第２端部から前記第1端部に向かう前記第１軸部材の回転軸線の方向に向かって凸形状に形成され、または、
前記第２外輪部材の底部は、前記第２端部から前記第1端部に向かう前記第１軸部材の回転軸線の方向に向かって凸形状に形成された、
ことを特徴とするプロペラシャフト。
【請求項４】
請求項１のプロペラシャフトにおいて、
前記第１外輪部材の底部もしくは前記第２軸部材の一端部の端面、または、
前記第２外輪部材の底部もしくは前記第１軸部材の第２端部の端面が、Ｒ形状となっている、
ことを特徴とするプロペラシャフト。
【請求項５】
請求項１のプロペラシャフトにおいて、
前記第１外輪部材の底部の貫通孔に設けられるグリス封印用の蓋が前記第２軸部材の一端部の端面と接触するときに変形や破壊が発生しない強度、または、
前記第２外輪部材の底部の貫通孔に設けられるグリス封印用の蓋が前記第１軸部材の第２端部の端面と接触するときに変形や破壊が発生しない、強度に形成された、
グリス封印用の蓋を有する、
ことを特徴とするプロペラシャフト。
【請求項６】
請求項１のプロペラシャフトにおいて、
前記回転軸線の方向において、前記第１軸部材が前記第1端部から前記第２端部に向かって移動するときに、前記第1ボールが前記第1レース溝の端部で移動が規制される、または、
前記回転軸線の方向において、前記第１軸部材が前記第1端部から前記第２端部に向かって移動するときに、前記第２ボールが前記第２レース溝の端部で移動が規制される、
ことを特徴とするプロペラシャフト。
【請求項７】
請求項６のプロペラシャフトにおいて、
前記第１外輪部材の第１レース溝の端部の半径は、前記第１ボールの半径よりも大きい、または、
前記第２外輪部材の第２レース溝の端部の半径は、前記第２ボールの半径よりも大きい、
ことを特徴とするプロペラシャフト。
【請求項８】
請求項１のプロペラシャフトにおいて、
前記第１軸部材は、前記第１軸部材の回転軸線の方向において、前記第１軸部材の第２端部の外周面に形成され、前記第２内輪部材の前記第２雌スプラインと噛み合う第1雄スプラインと、前記第１軸部材の回転軸線に対する径方向において、前記第２内輪部材の前記第２雌スプラインと前記第１雄スプラインとの間に配置された第２内輪部材用サークリップと、を有し、
前記第２内輪部材の前記第1軸部材の第1端部側の端面と、前記第２雌スプライン間の距離よりも、前記第１軸部材の第２端部側の端面と、前記第２内輪部材用サークリップ間の距離が長い、または、
前記第２軸部材は、前記第２軸部材の回転軸線の方向において、前記第２軸部材の一端部の外周面に形成され、前記第１内輪部材の前記第１雌スプラインと噛み合う第２雄スプラインと、前記第２軸部材の回転軸線に対する径方向において、前記第１内輪部材の前記第１雌スプラインと前記第２雄スプラインとの間に配置された第１内輪部材用サークリップと、を有し、
前記第１内輪部材の前記第２軸部材の一端部と逆側の端面と、前記第１雌スプライン間の距離よりも、前記第２軸部材の一端部側の端面と、前記第１内輪部材用サークリップ間の距離が長い、
ことを特徴とするプロペラシャフト。
【請求項９】
軸部材であって、前記軸部材の回転軸線の両端部である第１端部と第２端部とを有する前記軸部材と、
第１等速ジョイントであって、前記軸部材の前記第１端部がスプライン結合された第１雌スプラインが設けられた第１内輪部材と、前記回転軸線に対する径方向において、前記第１内輪部材の外周に配置された第１ボールと、前記第１ボールを前記第１内輪部材に保持する第１ケージと、前記径方向において、前記第１ボールの外周に配置され、前記第１ボールが前記回転軸線方向に移動可能な第１レース溝が設けられた第１外輪部材と、を有した前記第１等速ジョイントと、
第２等速ジョイントであって、前記軸部材の前記第２端部がスプライン結合された第２雌スプラインが設けられた第２内輪部材と、前記回転軸線に対する径方向において、前記第２内輪部材の外周に配置された第２ボールと、前記第２ボールを前記第２内輪部材に保持する第２ケージと、前記径方向において、前記第２ボールの外周に配置され、前記第２ボールが前記回転軸線の方向に移動可能な第２レース溝が設けられた第２外輪部材と、を有した前記第２等速ジョイントと、を備え、
前記回転軸線の方向において、前記軸部材が、前記第２端部から前記第１端部に向かって移動するときに、前記第１端部が前記第１外輪部材の底部に向かって移動可能な距離よりも前記第２ボールが前記第２レース溝の縁部に向かって移動可能な距離の方が長く、かつ、前記軸部材が、前記第1端部から前記第２端部に向かって移動するときに、前記第２端部が前記第２外輪部材の底部に向かって移動可能な距離よりも前記第1ボールが前記第1レース溝の縁部に向かって移動可能な距離の方が長い、
ことを特徴とするプロペラシャフト。
【発明の詳細な説明】
【技術分野】
【０００１】
本発明は、プロペラシャフトに関する。
【背景技術】
【０００２】
一般に自動車用のプロペラシャフトは、トランスミッション側に接続された駆動シャフトと、ディファレンシャルギア側に接続された従動シャフトによって２分割あるいは３分割されており、この分割した対向端部にカルダンジョイントや等速ジョイントなどの継手機構が設けられているとともに、軸方向のほぼ中央位置に設けられた支持装置を介して車体フロアに回転自在に支持されている。
そして、トランスミッションと駆動シャフトとの連結、あるいはディファレンシャルギアと従動シャフトとの連結は、例えば特許文献１に記載されているように、等速ジョイントの内輪部材に対してトランスミッション側の入力軸やディファレンシャルギア側の出力軸を直接的に軸方向から挿入してスプライン結合するようになっている。
【先行技術文献】
【特許文献】
【０００３】
【特許文献１】特許第５８７２３４１号公報
【発明の概要】
【発明が解決しようとする課題】
【０００４】
しかしながら、特許文献１に記載の技術では、プロペラシャフトを車両に組付ける際に、プロペラシャフト中央位置の支持装置を先に車両に取り付け固定した場合に、プロペラシャフト端部の内輪部材と車両側の入出力軸とをスプライン結合するために、プロペラシャフトを一度収縮させなければならないが、等速ジョイント一つ分の摺動量分しか収縮させることができないため、車両組付け作業性が悪いという問題点があった。
本発明の目的の一つは、摺動量を大幅に増加させたプロペラシャフトを提供することにある。
【課題を解決するための手段】
【０００５】
本発明の一実施形態におけるプロペラシャフトは、第１軸部材であって、前記第１軸部材の回転軸線の方向における両端部である第１端部と第２端部を有する前記第１軸部材と、第１等速ジョイントであって、第１雌スプラインが設けられた第１内輪部材と、前記回転軸線に対する径方向において、前記第１内輪部材の外周に配置された第１ボールと、前記第１ボールを前記第１内輪部材に保持する第１ケージと、前記径方向において、前記第１ボールの外周に配置され、前記第１ボールが前記回転軸線の方向に移動可能な第１レース溝が設けられ、前記第１軸部材の前記第１端部とつながった第１外輪部材と、を有した前記第１等速ジョイントと、第２等速ジョイントであって、前記第１軸部材の前記第２端部がスプライン結合された第２雌スプラインが設けられた第２内輪部材と、前記回転軸線に対する径方向において、前記第２内輪部材の外周に配置された第２ボールと、前記第２ボールを前記第２内輪部材に保持する第２ケージと、前記径方向において、前記第２ボールの外周に配置され、前記第２ボールが前記回転軸線の方向に移動可能な第２レース溝が設けられた第２外輪部材と、を有した前記第２等速ジョイントと、第２軸部材であって、前記自動車に固定されるセンタリングベアリングサポートにて支持され、前記第１雌スプラインとスプライン結合された一端部と、を有する前記第２軸部材と、を備え、前記回転軸線の方向において、前記第１軸部材が前記第２端部から前記第１端部に向かって移動するときに、前記第１外輪部材の底部が前記第１軸部材の第１端部に向かって移動可能な距離よりも前記第２ボールが前記第２レース溝の縁部に向かって移動可能な距離の方が長く、かつ、前記第１軸部材が前記第1端部から前記第２端部に向かって移動するときに、前記第２端部が前記第２外輪部材の底部に向かって移動可能な距離よりも前記第1ボールが前記第1レース溝の縁部に向かって移動可能な距離の方が長いことを特徴とする。
【発明の効果】
【０００６】
よって、本発明のプロペラシャフトにあっては、両端にそれぞれ軸方向に摺動可能な等速ジョイントを備え、一端側の等速ジョイントの収縮側軸方向摺動長さに対し他端側の等速ジョイント伸長側軸方向摺動長さの方を長くして、摺動量を大幅に増加させるとともに、ボール、止め輪の損傷を抑制することができるので、車両組付け作業性を向上するとともに耐久性の向上を図ることができる。
【図面の簡単な説明】
【０００７】
【図１】実施形態1のプロペラシャフトの全体構成図である。
【図２】図1のＡ部の第1等速ジョイント３と第２軸部材５の断面拡大図である。
【図３】図1のＢ部の第２等速ジョイント４と第１軸部材２の拡大図である。
【図４】実施形態２の第1等速ジョイント３と第２軸部材５の断面拡大図である。
【図５】実施形態３の第1等速ジョイント３と第２軸部材５の断面拡大図である。
【図６】実施形態４の第1等速ジョイント３と第２軸部材５の断面拡大図である。
【図７】実施形態５の第1等速ジョイント３と第２軸部材５の断面拡大図である。
【図８】（ａ）は、実施形態６の第1等速ジョイント３と第２軸部材５の断面拡大図、（ｂ）は、実施形態６の第1等速ジョイント３と第２軸部材５の部分断面拡大図である。
【図９】実施形態７のプロペラシャフトの全体構成図である。
【発明を実施するための形態】
【０００８】
〔実施形態１〕
図１は、実施形態1のプロペラシャフトの全体構成図である。
なお、以下の説明では、便宜上、図１の左側を「車両前側」、右側を「車両後側」として説明する。
【０００９】
（プロペラシャフトの構成）
プロペラシャフト１は、図示外の駆動源であるエンジンと連結するトランスミッションに連結する第３等速ジョイント５００を介して一体回転可能に連結された第２軸部材５と、図示外の駆動輪と連結するディファレンシャルに連結する第２等速ジョイント４を介して一体回転可能に連結された第１軸部材２と、を備え、前記両軸部材２，５が第１等速ジョイント３を介して一体回転可能に連結されると共に、この第１等速ジョイント３付近に設けられた、図示外の車体に懸架されるセンターベアリングサポート６を介して回転自在に支持されている。
第１等速ジョイント３の第１ボール３２と第１外輪部材３４の内周に形成された第１レース溝３４ａの縁部３４ａ１間の距離ａ、第１等速ジョイント３の第１外輪部材３４の底部３４ｂと第２軸部材５の端面５ａ１間の距離ｂ、第２等速ジョイント４の第２ボール４２と第２外輪部材４４の内周に形成された第２レース溝４４ａの縁部４４ａ１間の距離ｃ、第２等速ジョイント４の第２外輪部材４４の底部４４ｂの貫通孔４４ｂ１に圧入固定されたグリス封印用の蓋７の第１軸部材２側の面７ａと第１軸部材２の端面２ｂ１間の距離ｄの関係は、ｂ＜ｃ、ｄ＜ａに設定している。
これにより、第３等速ジョイント５００を図示外のトランスミッションに連結して、第２軸部材５を、図示外の車体に支持されるセンターベアリングサポート６を介して回転自在に支持した状態で、図示外の駆動輪と連結するディファレンシャルに連結するときには、第２等速ジョイント４を回転軸線Ｐに沿って矢印α（車両前側）方向へ、第２等速ジョイント４の第２外輪部材４４の底部４４ｂの貫通孔４４ｂ１に圧入固定されたグリス封印用の蓋７の第１軸部材２側の面６ａと第１軸部材２の端面２ｂ１が当接する距離ｄを摺動させ、さらに第２等速ジョイント４と第１軸部材２を矢印α（車両前側）方向へ、第１等速ジョイント３の第１外輪部材３４の底部３４ｂと第２軸部材５の端面５ａ１が当接する距離ｂを摺動させることで、距離（ｂ＋ｄ）分、第２等速ジョイント４を回転軸線Ｐに沿って矢印α（車両前側）方向に摺動させることができるので、摺動量を大幅に増加させ、プロペラシャフト１の車両組付け作業性を向上することができる。
また、各距離は、ｂ＜ｃ、ｄ＜ａに設定しているので、第１軸部材２が、第２端部２ｂから第１端部２ａに向かって摺動する際、あるいは、第１端部２ａから第２端部２ｂに向かって摺動する際、すなわち矢印α方向あるいは逆方向に摺動した場合でも、各ボール３２、４２が、各サークリップ１０２、１０２ａに当接する前に、第１等速ジョイント３の剛性の高い第１外輪部材３４の底部３４ｂと第２軸部材５の端面５ａ１と、あるいは、第２等速ジョイント４の第２外輪部材４４の底部４４ｂの貫通孔４４ｂ１に圧入固定された剛性を高く形成したグリス封印用の蓋７の第１軸部材２側（車両前側）の面７ａと第１軸部材２の端面２ｂ１が当接して、第１軸部材２の動きを止めるので、各ボール３２、４２、各サークリップ１０２、１０２ａへの損傷を抑制でき、プロペラシャフト１の耐久性も向上することができる。
【００１０】
図２は、図1のＡ部の第1等速ジョイント３と第２軸部材５の断面拡大図である。
【００１１】
（第１等速ジョイントの構成）
第１等速ジョイント３の構成を説明する。
第１等速ジョイント３は、内周に第１雌スプライン３１ａが設けられた第１内輪部材３１と、回転軸線Ｐに対する径方向において、第１内輪部材３１の外周の複数の溝３１ｂに配置された複数の第１ボール３２と、複数の第１ボール３２を第１内輪部材３１に保持する第１ケージ３３と、外周に複数の第１ボール３２が回転軸線Ｐ方向に移動可能な複数の第１レース溝３４ａが設けられ、車両後側の端部に、第１軸部材２の第１端部２ａが溶接固定で連結している第１外輪部材３４から構成されている。
センターベアリングサポート６にて図示外の車体に支持される第２軸部材５は、一端部５ａの外周面に形成された第２雄スプライン５ｂが、第１内輪部材３１の第１雌スプライン３１ａとスプライン結合するように、第１内輪部材３１に挿入されている。
また、第１雌スプライン３１ａと第２雄スプライン５ｂの途中には、対向するそれぞれの位置に内周溝３１ｃおよび外周溝５ｃが形成され、それぞれの溝３１ｃ、５ｃにサークリップ１０３が挿入されて、第２軸部材５の第１内輪部材３１からの抜けを防止している。
なお、第２軸部材５の車両後側の一端部５ａの端面５ａ１と外周溝５ｃ間の距離ｆは、第１内輪部材３１の車両前側の一端部５ａと逆側の端面３１ｄと第１雌スプライン３１ａ間の距離ｅより長く形成している。
これにより、第１内輪部材３１に第２軸部材５を挿入する際に、第２軸部材５の外周溝５ｃに挿入されたサークリップ１０３を治具で縮めた状態で挿入作業を行うが、サークリップ１０３や治具が視界の邪魔をすることなく、両スプライン３１ａ、５ｂを目視可能なため、スムーズな挿入作業が可能となる。
さらに、第２軸部材５の車両後側の一端部５ａの端面５ａ１は、第１ケージ３３の車両後側の一端部の端面３３ａより、距離ｉ分、車両後側に突出している。
これにより、第１外輪部材３４が車両前側に距離ｂ分摺動した場合には、第１等速ジョイント３の剛性の高い第１外輪部材３４の底部３４ｂと第２軸部材５の端面５ａ１が当接することで、動きを止めるので、第１ボール３２あるいは第１ケージ３３の損傷を防止することができる。
また、第１等速ジョイント３の車両前側の端部は、第１外輪部材３４の車両前側の外周に固定された取付け金具９９とブーツバンド１０１により取り付けられた防水ブーツ１００で包囲され、第１外輪部材３４と第２軸部材５間を密封している。
【００１２】
図３は、図1のＢ部の第２等速ジョイント４と第１軸部材２の拡大図である。
【００１３】
（第２等速ジョイントの構成）
第２等速ジョイント４の構成を説明する。
第２等速ジョイント４は、内周に第２雌スプライン４１ａが設けられた第２内輪部材４１と、回転軸線Ｐに対する径方向において、第２内輪部材４１の外周の複数の溝４１ｂに配置された複数の第２ボール４２と、複数の第２ボール４２を第２内輪部材４１に保持する第２ケージ４３と、外周に複数の第２ボール４２が回転軸線Ｐ方向に移動可能な複数の第２レース溝４４ａが設けられる第２外輪部材４４から構成されている。
第１軸部材２は、第２端部２ｂの外周面に形成された第１雄スプライン２ｂ２が、第２内輪部材４１の第２雌スプライン４１ａとスプライン結合するように、第２内輪部材４１に挿入されている。
また、第２雌スプライン４１ａと第１雄スプライン２ｂ２の途中には、対向するそれぞれの位置に内周溝４１ｃおよび外周溝２ｃが形成され、それぞれの溝４１ｃ、２ｃにサークリップ１０３ａが挿入されて、第１軸部材２の第２内輪部材４１からの抜けを防止している。
なお、第１軸部材２の車両後側の第２端部２ｂの端面２ｂ１と外周溝２ｃ間の距離ｆは、第２内輪部材４１の車両前側の第1端部２ａの端面４１ｄと第２雌スプライン４１ａ間の距離ｅより長く形成している。
これにより、第２内輪部材４１に第１軸部材２を挿入する際に、第１軸部材２の外周溝２ｃに挿入されたサークリップ１０３ａを治具で縮めた状態で挿入作業を行うが、サークリップ１０３ａや治具が視界の邪魔をすることなく、両スプライン４１ａ、２ｂ２を目視可能なため、スムーズな挿入作業が可能となる。
さらに、第１軸部材２の車両後側の第２端部２ｂの端面２ｂ１は、第２ケージ４３の車両後側の一端部の端面４３ａより、距離ｉ分、車両後側に突出している。
これにより、第２外輪部材４４が車両前側に距離ｄ分摺動した場合には、第２等速ジョイント４の第２外輪部材４４の底部４４ｂの貫通孔４４ｂ１に圧入固定された剛性を高く形成したグリス封印用の蓋７の車両前側（第１軸部材２側）の面７ａと第１軸部材２の端面２ｂ１が当接することで、動きを止めるので、第２ボール４２あるいは第２ケージ４３の損傷を防止することができる。
また、第２等速ジョイント４の車両前側の端部は、第２外輪部材４４の車両前側の外周に固定された取付け金具９９ａとブーツバンド１０１ａにより取り付けられた防水ブーツ１００ａで包囲され、第２外輪部材４４と第１軸部材２間を密封している。
【００１４】
次に、作用効果を説明する。
実施形態１のプロペラシャフト１の作用効果を以下に列挙する。
（１）プロペラシャフト１を図示外のディファレンシャルに連結するときには、第２等速ジョイント４を回転軸線Ｐに沿って矢印α（車両前側）方向へ、第２等速ジョイント４の第２外輪部材４４の底部４４ｂの貫通孔４４ｂ１に圧入固定されたグリス封印用の蓋７の第１軸部材２側の面７ａと第１軸部材２の端面２ｂ１が当接する距離ｄを摺動させ、さらに第２等速ジョイント４と第１軸部材２を矢印α（車両前側）方向へ、第１等速ジョイント３の第１外輪部材３４の底部３４ｂと第２軸部材５の端面５ａ１が当接する距離ｂを摺動させることで、距離（ｂ＋ｄ）分、第２等速ジョイント４を回転軸線Ｐに沿って矢印α（車両前側）方向に摺動させるようにした。
よって、距離（ｂ＋ｄ）分、第２等速ジョイント４を回転軸線Ｐに沿って矢印α（車両前側）方向に摺動させることができるので、摺動量を大幅に増加させ、プロペラシャフト１の車両組付け作業性を向上することができる。
【００１５】
（２）第１等速ジョイント３の第１ボール３２と第１外輪部材３４の内周に形成された第１レース溝３４ａの縁部３４ａ１間の距離ａ、第１等速ジョイント３の第１外輪部材３４の底部３４ｂと第２軸部材５の端面５ａ１間の距離ｂ、第２等速ジョイント４の第２ボール４２と第２外輪部材４４の内周に形成された第２レース溝４４ａの縁部４４ａ１間の距離ｃ、第２等速ジョイント４の第２外輪部材４４の底部４４ｂの貫通孔４４ｂ１に圧入固定されたグリス封印用の蓋７の第１軸部材２側の面７ａと第１軸部材２の端面２ｂ１間の距離ｄの関係は、ｂ＜ｃ、ｄ＜ａに設定するようにした。
よって、第１軸部材２が、第２端部２ｂから第１端部２ａに向かって摺動する際、あるいは、第１端部２ａから第２端部２ｂに向かって摺動する際、すなわち矢印α方向あるいは逆方向に摺動した場合でも、各ボール３２、４２が、各サークリップ１０２、１０２ａに当接する前に、第１等速ジョイント３の剛性の高い第１外輪部材３４の底部３４ｂと第２軸部材５の端面５ａ１あるいは、第２等速ジョイント４の第２外輪部材４４の底部４４ｂの貫通孔４４ｂ１に圧入固定された剛性を高く形成したグリス封印用の蓋７の車両前側の第１軸部材２側の面７ａと第１軸部材２の端面２ｂ１が当接して、第１軸部材２の動きを止めるので、各ボール３２、４２、各サークリップ１０２、１０２ａへの損傷を抑制でき、プロペラシャフト１の耐久性を向上することができる。
【００１６】
（３）第２軸部材５の車両後側の一端部５ａの端面５ａ１は、第１ケージ３３の車両後側の一端部の端面３３ａより、距離ｉ分車両後方側に突出するようにした。
よって、第１外輪部材３４が車両前側に距離ｂ分摺動した場合には、第１等速ジョイント３の剛性の高い第１外輪部材３４の底部３４ｂと第２軸部材５の端面５ａ１が当接することで、動きを止めるので、第１ボール３２あるいは第１ケージ３３の損傷を防止することができる。
【００１７】
（４）第１軸部材２の車両後側の第２端部２ｂの端面２ｂ１は、第２ケージ４３の車両後側の一端部の端面４３ａより、距離ｉ分、車両後側に突出するようにした。
よって、第２外輪部材４４が車両前側に距離ｄ分摺動した場合には、第２等速ジョイント４の第２外輪部材４４の底部４４ｂの貫通孔４４ｂ１に圧入固定された剛性を高く形成したグリス封印用の蓋７の車両前側の第１軸部材２側の面７ａと第１軸部材２の端面２ｂ１が当接することで、動きを止めるので、第２ボール４２あるいは第２ケージ４３の損傷を防止することができる。
【００１８】
（５）第２軸部材５の車両後側の一端部５ａの端面５ａ１と外周溝５ｃ間の距離ｆは、第１内輪部材３１の車両前側の一端部５ａと逆側の端面３１ｄと第１雌スプライン３１ａ間の距離ｅより長く形成するようにした。
よって、第１内輪部材３１に第２軸部材５を挿入する際に、第２軸部材５の外周溝５ｃに挿入されたサークリップ１０３を治具で縮めた状態で挿入作業を行うが、サークリップ１０３や治具が視界の邪魔をすることなく、両スプライン３１ａ、５ｂを目視可能なため、スムーズな挿入作業が可能となる。
【００１９】
（６）第１軸部材２の車両後側の第２端部２ｂの端面２ｂ１と外周溝２ｃ間の距離ｆは、第２内輪部材４１の車両前側の第1端部２ａの端面４１ｄと第２雌スプライン４１ａ間の距離ｅより長く形成するようにした。
よって、第２内輪部材４１に第１軸部材２を挿入する際に、第１軸部材２の外周溝２ｃに挿入されたサークリップ１０３ａを治具で縮めた状態で挿入作業を行うが、サークリップ１０３ａや治具が視界の邪魔をすることなく、両スプライン４１ａ、２ｂ２を目視可能なため、スムーズな挿入作業が可能となる。
【００２０】
〔実施形態２〕
図４は、実施形態２の第1等速ジョイント３と第２軸部材５の断面拡大図である。
【００２１】
実施形態１とは異なり、第1等速ジョイント３と第２軸部材５間の抜け止めとしてサークリップ１０３の代わりに、スナップリング１０４を使用している。
また、スナップリング１０４の装着は、第２軸部材５と第１内輪部材３１を組み付けた後に行い、サブアッセンブリされた第２軸部材５と第１内輪部材３１を第１外輪部材３４に組み付ける。
その他の構成は実施形態１と同じであるため、実施形態１と共通する部分については実施形態１と同じ符号を付して、説明を省略する。
なお、図示はしないが、第２等速ジョイント４についても、抜け止めとしてサークリップ１０３ａの代わりに、スナップリング１０４を使用することができる。
【００２２】
次に、作用効果を説明する。
実施形態２のプロペラシャフト１においては、実施形態１と同様の作用効果を奏する。
【００２３】
〔実施形態３〕
図５は、実施形態３の第1等速ジョイント３と第２軸部材５の断面拡大図である。
【００２４】
実施形態１とは異なり、第１等速ジョイント３の第１外輪部材３４の底部３４ｂの中央部分を肉厚にして、第２端部２ｂから第１端部２ａに向かう車両前側への矢印α方向へ凸形状に突出させて、凸部３４ｂ１を形成している。
その他の構成は実施形態１と同じであるため、実施形態１と共通する部分については実施形態１と同じ符号を付して、説明を省略する。
なお、図示はしないが、第２等速ジョイント４の第２外輪部材４４の底部４４ｂの貫通孔４４ｂ１に圧入固定されたグリス封印用の蓋７の中央部分を肉厚にして、第２端部２ｂから第１端部２ａに向かう車両前側への矢印α方向へ凸形状に突出させて、凸部を形成してもよい。
【００２５】
次に、作用効果を説明する。
実施形態３のプロペラシャフト１においては、実施形態１の作用効果に加え、以下に列挙する作用効果を奏する。
【００２６】
（１）第１軸部材２の端面２ｂ１あるいは第２軸部材５の端面５ａ１が当接する、第２外輪部材４４の底部４４ｂの貫通孔４４ｂ１に圧入固定されたグリス封印用の蓋７の中央部分を肉厚にして、第２端部２ｂから第１端部２ａに向かう車両前側への矢印α方向へ凸形状に突出させて凸部を形成、あるいは、第１等速ジョイント３の第１外輪部材３４の底部３４ｂを肉厚にして、第２端部２ｂから第１端部２ａに向かう車両前側への矢印α方向へ凸形状に突出させて、凸部３４ｂ１を形成するようにした。
よって、第１軸部材２の端面２ｂ１あるいは第２軸部材５の端面５ａ１が当接する部分の剛性をより高くすることができ、確実に各等速ジョイント３，４の摺動を止めることができる。
【００２７】
〔実施形態４〕
図６は、実施形態４の第1等速ジョイント３と第２軸部材５の断面拡大図である。
【００２８】
実施形態３とは異なり、第１等速ジョイント３の第１外輪部材３４の底部３４ｂの中央部分を肉厚かつＲ形状にして、第２端部２ｂから第１端部２ａに向かう車両前側への矢印α方向へ突出させて、Ｒ形状の凸部３４ｂ２を形成している。
その他の構成は実施形態３と同じであるため、実施形態３と共通する部分については実施形態３と同じ符号を付して、説明を省略する。
なお、図示はしないが、第２等速ジョイント４の第２外輪部材４４の底部４４ｂの貫通孔４４ｂ１に圧入固定されたグリス封印用の蓋７の中央部分を、第２端部２ｂから第１端部２ａに向かう車両前側への矢印α方向へ凸形状に突出させて凸部を形成してもよい。
【００２９】
次に、作用効果を説明する。
実施形態４のプロペラシャフト１においては、実施形態３の作用効果に加え、以下に列挙する作用効果を奏する。
【００３０】
（１）第１軸部材２の端面２ｂ１あるいは第２軸部材５の端面５ａ１が当接する、第２外輪部材４４の底部４４ｂの貫通孔４４ｂ１に圧入固定されたグリス封印用の蓋７の中央部分を肉厚かつＲ形状にして、第２端部２ｂから第１端部２ａに向かう車両前側への矢印α方向へ突出させて凸部を形成、あるいは、第１等速ジョイント３の第１外輪部材３４の底部３４ｂを肉厚かつＲ形状にして、第２端部２ｂから第１端部２ａに向かう車両前側への矢印α方向へ突出させて、凸部３４ｂ２を形成するようにした。
よって、第１軸部材２あるいは第２軸部材５が傾斜した状態で、第２外輪部材４４の底部４４ｂの貫通孔４４ｂ１に圧入固定されたグリス封印用の蓋７の中央部分を肉厚かつＲ形状にして車両前側へ突出させた凸部、あるいは、第１等速ジョイント３の第１外輪部材３４の底部３４ｂを肉厚かつＲ形状にして車両前側へ突出させた凸部３４ｂ２に当接した場合であっても、摺動の変化量を少なくすることができる。
【００３１】
〔実施形態５〕
図７は、実施形態５の第1等速ジョイント３と第２軸部材５の断面拡大図である。
【００３２】
実施形態４とは異なり、第２外輪部材４４の底部４４ｂの貫通孔４４ｂ１に圧入固定されたグリス封印用の蓋７あるいは第１等速ジョイント３の第１外輪部材３４の底部３４ｂを肉厚かつＲ形状に形成することに代えて、第２軸部材５の端面５ａ２をＲ形状にして車両後方側へ突出させている。
その他の構成は実施形態４と同じであるため、実施形態４と共通する部分については実施形態４と同じ符号を付して、説明を省略する。
なお、図示はしないが、第１軸部材２の端面２ｂ１をＲ形状にして車両後方側へ突出させてもよい。
【００３３】
次に、作用効果を説明する。
実施形態５のプロペラシャフト１においては、実施形態４と同様の作用効果を奏する。
【００３４】
〔実施形態６〕
図８（ａ）は、実施形態６の第1等速ジョイント３と第２軸部材５の断面拡大図、（ｂ）は、実施形態５の第1等速ジョイント３と第２軸部材５の部分断面拡大図である。
【００３５】
実施形態１とは異なり、第1等速ジョイント３の第１ボール３２を第１外輪部材３４の第１レース溝３４ａの車両後側の端部３４ｂ３に当接させて、摺動の動きを止めるようにしている。
なお、第１ボール３２の半径ｒよりも、第１外輪部材３４の第１レース溝３４ａの車両後側の端部３４ｂ３の半径Ｒを大きく形成している。
これにより、第１ボール３２の損傷を抑制することができる。
その他の構成は実施形態１と同じであるため、実施形態１と共通する部分については実施形態１と同じ符号を付して、説明を省略する。
なお、図示はしないが、第２等速ジョイント４の第２ボール４２を第２外輪部材４４の第２レース溝４４ａの車両後側の端部に当接させて、摺動の動きを止めるようにしてもよい。
また、このときの第２ボール４２の半径ｒよりも、第２外輪部材４４の第２レース溝４４ａの車両後方側の端部の半径Ｒを大きく形成している。
【００３６】
次に、作用効果を説明する。
実施形態６のプロペラシャフト１においては、以下に列挙する作用効果を奏する。
【００３７】
（１）（１）プロペラシャフト１を図示外のディファレンシャルに連結するときには、第２等速ジョイント４を回転軸線Ｐに沿って矢印α（車両前側）方向へ、第２等速ジョイント４の第２ボール４２が第２外輪部材４４の第２レース溝４４ａの車両後側の端部に当接する距離ｄを摺動させ、さらに第２等速ジョイント４と第１軸部材２を矢印α（車両前側）方向へ、第１等速ジョイント３の第1等速ジョイント３の第１ボール３２が第１外輪部材３４の第１レース溝３４ａの車両後側の端部３４ｂ３に当接する距離ｂを摺動させることで、距離（ｂ＋ｄ）分、第２等速ジョイント４を回転軸線Ｐに沿って矢印α（車両前側）方向に摺動させるようにした。
よって、距離（ｂ＋ｄ）分、第２等速ジョイント４を回転軸線Ｐに沿って矢印α（車両前側）方向に摺動させることができるので、摺動量を大幅に増加させ、プロペラシャフト１の車両組付け作業性を向上することができる。
【００３８】
（２）第１等速ジョイント３の第１ボール３２と第１外輪部材３４の内周に形成された第１レース溝３４ａの縁部３４ａ１間の距離ａ、第１等速ジョイント３の第１ボール３２と第１外輪部材３４の第１レース溝３４ａの車両後側の端部３４ｂ３間の距離ｂ、第２等速ジョイント４の第２ボール４２と第２外輪部材４４の内周に形成された第２レース溝４４ａの縁部４４ａ１間の距離ｃ、第２等速ジョイント４の第２ボール４２と第２外輪部材４４の内周に形成された第２レース溝４４ａの車両後側の端部間の距離ｄの関係は、ｂ＜ｃ、ｄ＜ａに設定するようにした。
よって、第１軸部材２が、第２端部２ｂから第１端部２ａに向かって摺動する際、あるいは、第１端部２ａから第２端部２ｂに向かって摺動する際、すなわち矢印α（車両前側）方向あるいは逆（車両後側）方向に摺動した場合でも、各ボール３２、４２が、各サークリップ１０２、１０２ａに当接する前に、第１等速ジョイント３の剛性の高い第１外輪部材３４の内周に形成された第１レース溝３４ａの端部３４ｂ３と第1ボール３２あるいは、第２外輪部材４４の内周に形成された第２レース溝４４ａの車両後側の端部と第２ボール４２が当接して、第１軸部材２の動きを止めるので、各サークリップ１０２、１０２ａへの損傷を抑制でき、プロペラシャフト１の耐久性も向上することができる。
【００３９】
（３）第１等速ジョイント３の第１ボール３２、第２等速ジョイント４の第２ボール４２の半径ｒよりも、第１外輪部材３４の第１レース溝３４ａの車両後側の端部３４ｂ３、第２外輪部材４４の内周に形成された第２レース溝４４ａの車両後側の端部の半径Ｒを大きく形成するようにした。
よって、第１等速ジョイント３の第１ボール３２、第２等速ジョイント４の第２ボール４２の損傷を抑制することができる。
【００４０】
（４）第２軸部材５の車両後側の一端部５ａの端面５ａ１と外周溝５ｃ間の距離ｆは、第１内輪部材３１の車両前側の一端部５ａと逆側の端面３１ｄと第１雌スプライン３１ａ間の距離ｅより長く形成するようにした。
よって、第１内輪部材３１に第２軸部材５を挿入する際に、第２軸部材５の外周溝５ｃに挿入されたサークリップ１０３を治具で縮めた状態で挿入作業を行うが、サークリップ１０３や治具が視界の邪魔をすることなく、両スプライン３１ａ、５ｂを目視可能なため、スムーズな挿入作業が可能となる。
【００４１】
（６）第１軸部材２の車両後側の第２端部２ｂの端面２ｂ１と外周溝２ｃ間の距離ｆは、第２内輪部材４１の車両前側の第1端部２ａの端面４１ｄと第２雌スプライン４１ａ間の距離ｅより長く形成するようにした。
よって、第２内輪部材４１に第１軸部材２を挿入する際に、第１軸部材２の外周溝２ｃに挿入されたサークリップ１０３ａを治具で縮めた状態で挿入作業を行うが、サークリップ１０３ａや治具が視界の邪魔をすることなく、両スプライン４１ａ、２ｂ２を目視可能なため、スムーズな挿入作業が可能となる。
【００４２】
図９は、実施形態７のプロペラシャフトの全体構成図である。
実施形態１とは異なり、軸部材である第1軸部材２の両端部２ａ、２ｂに、第１等速ジョイント３の外輪部材３４と第２等速ジョイント４の外輪部材４４を同方向に配置することに代えて、第１等速ジョイント３の外輪部材３４と第２等速ジョイント４の外輪部材４４を対向するように配置している。
その他の構成は実施形態１と同じであるため、実施形態１と共通する部分については実施形態１と同じ符号を付して、説明を省略する。
【００４３】
次に、作用効果を説明する。
実施形態７のプロペラシャフト１においては、実施形態１と同様の作用効果を奏する。
【００４４】
〔他の実施形態〕
以上、本発明を実施するための実施形態を説明したが、本発明の具体的な構成は実施形態の構成に限定されるものではなく、発明の要旨を逸脱しない範囲の設計変更等があっても本発明に含まれる。
実施形態として、第１等速ジョイント３は、外輪部材３４の底部３４ｂが閉塞しているタイプ、第２等速ジョイント４は、外輪部材４４の底部４４ｂは貫通孔４４ｂ１をグリス封印用の蓋７を圧入固定し閉塞するタイプで説明したが、第１等速ジョイント３と第２等速ジョイント４とを同じタイプを使用してもよいし、第１等速ジョイント３と第２等速ジョイント４のタイプを逆に使用してもよい。
【００４５】
以上説明した実施形態から把握しうる技術的思想について、以下に記載する。
プロペラシャフトは、その一つの態様において、第１軸部材であって、前記第１軸部材の回転軸線の方向における両端部である第１端部と第２端部を有する前記第１軸部材と、第１等速ジョイントであって、第１雌スプラインが設けられた第１内輪部材と、前記回転軸線に対する径方向において、前記第１内輪部材の外周に配置された第１ボールと、前記第１ボールを前記第１内輪部材に保持する第１ケージと、前記径方向において、前記第１ボールの外周に配置され、前記第１ボールが前記回転軸線の方向に移動可能な第１レース溝が設けられ、前記第１軸部材の前記第１端部とつながった第１外輪部材と、を有した前記第１等速ジョイントと、第２等速ジョイントであって、前記第１軸部材の前記第２端部がスプライン結合された第２雌スプラインが設けられた第２内輪部材と、前記回転軸線に対する径方向において、前記第２内輪部材の外周に配置された第２ボールと、前記第２ボールを前記第２内輪部材に保持する第２ケージと、前記径方向において、前記第２ボールの外周に配置され、前記第２ボールが前記回転軸線の方向に移動可能な第２レース溝が設けられた第２外輪部材と、を有した前記第２等速ジョイントと、第２軸部材であって、前記自動車に固定されるセンタリングベアリングサポートにて支持され、前記第１雌スプラインとスプライン結合された一端部と、を有する前記第２軸部材と、を備え、前記回転軸線の方向において、前記第１軸部材が前記第２端部から前記第１端部に向かって移動するときに、前記第１外輪部材の底部が前記第１軸部材の第１端部に向かって移動可能な距離よりも前記第２ボールが前記第２レース溝の縁部に向かって移動可能な距離の方が長く、かつ、前記第１軸部材が前記第1端部から前記第２端部に向かって移動するときに、前記第２端部が前記第２外輪部材の底部に向かって移動可能な距離よりも前記第1ボールが前記第1レース溝の縁部に向かって移動可能な距離の方が長い。
より好ましい態様では、上記態様において、前記第２端部から前記第1端部に向かう前記第１軸部材の回転軸線の方向において、前記第２軸部材の一端部は、前記第１ケージの一端部の端面よりも突出、または、前記第1端部から前記第２端部に向かう前記第１軸部材の回転軸線の方向において、前記第１軸部材の第２端部の端面は、前記第２ケージの一端部の端面よりも突出している。
さらに別の好ましい態様では、上記態様のいずれかにおいて、前記第１外輪部材の底部は、前記第２端部から前記第1端部に向かう前記第１軸部材の回転軸線の方向に向かって凸形状に形成され、または、前記第２外輪部材の底部は、前記第２端部から前記第1端部に向かう前記第１軸部材の回転軸線の方向に向かって凸形状に形成されている。
さらに別の好ましい態様では、上記態様のいずれかにおいて、前記第１外輪部材の底部もしくは前記第２軸部材の一端部の端面、または、前記第２外輪部材の底部もしくは前記第１軸部材の第２端部の端面が、Ｒ形状となっている。
さらに別の好ましい態様では、上記態様のいずれかにおいて、前記第１外輪部材の底部の貫通孔に設けられるグリス封印用の蓋が前記第２軸部材の一端部の端面と接触するときに変形や破壊が発生しない強度、または、前記第２外輪部材の底部の貫通孔に設けられるグリス封印用の蓋が前記第１軸部材の第２端部の端面と接触するときに変形や破壊が発生しない、強度に形成されたグリス封印用の蓋を有する。
さらに別の好ましい態様では、上記態様のいずれかにおいて、前記回転軸線の方向において、前記第１軸部材が前記第1端部から前記第２端部に向かって移動するときに、前記第1ボールが前記第1レース溝の端部で移動が規制される、または、前記回転軸線の方向において、前記第１軸部材が前記第1端部から前記第２端部に向かって移動するときに、前記第２ボールが前記第２レース溝の端部で移動が規制される。
さらに好ましい態様では、上記態様において、前記第１外輪部材の第１レース溝の端部の半径は、前記第１ボールの半径よりも大きい、または、前記第２外輪部材の第２レース溝の端部の半径は、前記第２ボールの半径よりも大きい。
さらに別の好ましい態様では、上記態様において、前記第１軸部材は、前記第１軸部材の回転軸線の方向において、前記第１軸部材の第２端部の外周面に形成され、前記第２内輪部材の前記第２雌スプラインと噛み合う第1雄スプラインと、前記第１軸部材の回転軸線に対する径方向において、前記第２内輪部材の前記第２雌スプラインと前記第１雄スプラインとの間に配置された第２内輪部材用サークリップと、を有し、前記第２内輪部材の前記第1軸部材の第1端部側の端面と、前記第２雌スプライン間の距離よりも、前記第１軸部材の第２端部の端面と、前記第２内輪部材用サークリップ間の距離が長い、または、前記第２軸部材は、前記第２軸部材の回転軸線の方向において、前記第２軸部材の一端部の外周面に形成され、前記第１内輪部材の前記第１雌スプラインと噛み合う第２雄スプラインと、前記第２軸部材の回転軸線に対する径方向において、前記第１内輪部材の前記第１雌スプラインと前記第２雄スプラインとの間に配置された第１内輪部材用サークリップと、を有し、前記第１内輪部材の前記第２軸部材の一端部と逆側の端面と、前記第１雌スプライン間の距離よりも、前記第２軸部材の一端部の端面と、前記第１内輪部材用サークリップ間の距離が長い。
さらに別の好ましい態様では、上記態様のいずれかにおいて、軸部材であって、前記軸部材の回転軸線の両端部である第１端部と第２端部とを有する前記軸部材と、
第１等速ジョイントであって、前記軸部材の前記第１端部がスプライン結合された第１雌スプラインが設けられた第１内輪部材と、前記回転軸線に対する径方向において、前記第１内輪部材の外周に配置された第１ボールと、前記第１ボールを前記第１内輪部材に保持する第１ケージと、前記径方向において、前記第１ボールの外周に配置され、前記第１ボールが前記回転軸線方向に移動可能な第１レース溝が設けられた第１外輪部材と、を有した前記第１等速ジョイントと、第２等速ジョイントであって、前記軸部材の前記第２端部がスプライン結合された第２雌スプラインが設けられた第２内輪部材と、前記回転軸線に対する径方向において、前記第２内輪部材の外周に配置された第２ボールと、前記第２ボールを前記第２内輪部材に保持する第２ケージと、前記径方向において、前記第２ボールの外周に配置され、前記第２ボールが前記回転軸線方向に移動可能な第２レース溝が設けられた第２外輪部材と、を有した前記第２等速ジョイントと、を備え、前記回転軸線の方向において、前記軸部材が、前記第２端部から前記第１端部に向かって移動するときに、前記第１端部が前記第１外輪部材の底部に向かって移動可能な距離よりも前記第２ボールが前記第２レース溝の縁部に向かって移動可能な距離の方が長く、かつ、前記軸部材が、前記第1端部から前記第２端部に向かって移動するときに、前記第２端部が前記第２外輪部材の底部に向かって移動可能な距離よりも前記第1ボールが前記第1レース溝の縁部に向かって移動可能な距離の方が長い。
【符号の説明】
【００４６】
１        プロペラシャフト
２        第１軸部材（軸部材）
２ａ      第1端部
２ａ１    端面
２ｂ      第２端部
２ｂ１    端面
２ｂ２    第１雄スプライン
３        第１等速ジョイント
３１      第１内輪部材
３１ａ    第１雌スプライン
３１ｂ    溝
３１ｃ    内周溝
３１ｄ    端面
３２      第１ボール
３３      第１ケージ
３３ａ    端面
３４      第１外輪部材
３４ａ    第１レース溝
３４ａ１  縁部
３４ｂ    底部
３４ｂ１  凸部
３４ｂ２  Ｒ形状の凸部
３４ｂ３  第1レース溝の端部
４        第２等速ジョイント
４１      第２内輪部材
４１ａ    第２雌スプライン
４１ｂ    溝
４１ｃ    内周溝
４１ｄ    端面
４２      第２ボール
４３      第２ケージ
４３ａ    端面
４４      第２外輪部材
４４ａ    第２レース溝
４４ａ１  縁部
４４ｂ    底部
４４ｂ１  貫通孔
５        第２軸部材
５ａ      一端部
５ａ１    端面
５ａ２    Ｒ形状端面
５ｂ      第２雄スプライン
６        センタリングベアリングサポート
７        グリス封印用の蓋
７ａ      面
１０      軸部材
１０３    第１内輪部材用サークリップ
１０３ａ  第２内輪部材用サークリップ
ａ        第1ボールが第1レース溝の縁部に向かって移動可能な距離
ｂ        第１外輪部材の底部が第１軸部材の第１端部に向かって移動可能な距離、または、第１ボールが第1レース溝の端部に向かって移動可能な距離
ｃ        第２ボールが第２レース溝の縁部に向かって移動可能な距離
ｄ        第２端部が第２外輪部材の底部に向かって移動可能な距離、または、第２ボールが第２レース溝の端部に向かって移動可能な距離
ｅ        第２内輪部材の第1軸部材の第1端部側の端面と、第２雌スプライン間の距離、または、第１内輪部材の第２軸部材の一端部と逆側の端面と、第１雌スプライン間の距離
ｆ        第１軸部材の第２端部の端面と、第２内輪部材用サークリップ間の距離、または、第２軸部材の一端部の端面と、第１内輪部材用サークリップ間の距離
ｉ        第２軸部材の一端部の端面が、第１ケージの車両後側の端面より突出している距離、または、第１軸部材の第２端部の端面が、第２ケージの車両後側の端面より突出している距離
Ｐ      回転軸線
Ｒ      第１レース溝の端部、または、第２レース溝の端部の半径
ｒ      第１ボール、または、第２ボールの半径
【図１】
2020139600.tif 000003
【図２】
2020139600.tif 000004
【図３】
2020139600.tif 000005
【図４】
2020139600.tif 000006
【図５】
2020139600.tif 000007
【図６】
2020139600.tif 000008
【図７】
2020139600.tif 000009
【図８】
2020139600.tif 000010
【図９】
2020139600.tif 000011